(57)【要約】      （修正有）【課題】作動軸とディスクとの連結を容易にしたバタフライバルブ。【解決手段】垂直空間部に備えられ、垂直内・外軸から構成された作動軸の下段に一つ以上のカム連結手段を介して連結されて閉鎖時に位置が変更されるディスクを含む断続手段と、垂直内・外軸の上部に備えられ、断続手段を開閉させる開閉手段からなるバタフライバルブにおいて、カム連結手段は、外軸の下部に両側に形成されている両結合溝と、ディスクの前面に連結体の後面が密着するように熔接やボルト締結により固定されており、その内部には上・下及び内側が開放されて内軸の下部に固定されたカムが取付けられるカム取付部と、前方が開放された一つ以上の凹溝部が備えられていて、作動軸が挿入される連結体と、後方に両結合溝に挟まれる開放された長孔が形成されており凹溝部の前方から後方へ挿入され、長孔の両端部が外軸の側両結合溝に摺動可能に挟まれ、ブラケットに固定される外軸固定板からなることを特徴とする。【選択図】図３
2006038206.tif 000002
【特許請求の範囲】
【請求項１】
ディスクシート１２と垂直空間部１３とが備えられた流路１１を含むボディー１と、前記垂直空間部１３に備えられ、垂直内・外軸２２、２３からなる作動軸２１の下段に一つ以上のカム連結手段３を介して連結されて前記内軸と連結された一つ以上のカム２２１を介して閉鎖時に位置が変更されるディスク２４を含む断続手段２と、前記垂直内・外軸２２、２３の上部に備えられ、前記断続手段２を開閉させる開閉手段４とからなるバタフライバルブにおいて、
前記カム連結手段３は、前記外軸２３の下部の両側に対称的に１つ以上形成されている両結合溝３１と、前記ディスク２４の前面に連結体３２の後面が密着するように熔接やボルト締結により固定されており、その内部には上・下及び内側が開放されて前記内軸２２の下部に固定されたカム２２１が取付けられるカム取付部３２１と前方が開放された一つ以上の凹溝部３２２とが備えられていて、作動軸２１が挿入される連結体３２と、
後方に前記両結合溝３１に挟まれる開放された長孔３３１が形成されており、前記凹溝部３２２の前方から後方へ挿入されて前記長孔３３１の両端部３３２が外軸２３の両結合溝３１に摺動可能に挟まれてブラケット固定手段３３３を介してブラケットに固定される外軸固定板３３とからなることを特徴とするバタフライバルブの作動軸連結装置。
【請求項２】
前記ブラケット固定手段３３３は、
前記外軸固定板３３の両側に複数個形成された貫通ホール３３４と、
前記凹溝部３２２の両側に前記貫通ホール３３４と相応する位置に備えられたタップ孔３３５と、
前記貫通ホール３３４に貫通され、前記タップ孔３３５に締結されるボルト３３６とからなることを特徴とする請求項１記載のバタフライバルブの作動軸連結装置。
【請求項３】
前記凹溝部３２２の両外側の連結体３２には１対以上の水平タップ孔３２３が形成されており、前記タップ孔３２３には外軸固定板３３の中心位置を精密に調整することができるボルト３２４が締結されることを特徴とする請求項１または２記載のバタフライバルブの作動軸連結装置。
【請求項４】
前記凹溝部３２２が、連結体３２の上部や下部、または、上・下部に備えられることを特徴とする請求項１記載のバタフライバルブの作動軸連結装置。
【請求項５】
前記ディスクシートの後方の周縁部には、更にディスク２４の周縁端部面２４１が密着されるテフロンリング５が固定手段６により固定されることを特徴とする請求項１または２記載のバタフライバルブの作動軸連結装置。
【請求項６】
前記固定手段６は、
テフロンリング５を外側面から押さえる円形押えリング６１と、
前記円形押えリング６１とテフロンリング５を貫通して前記ディスクシートの後方に締結される複数個のボルト６１１とからなることを特徴とする請求項５記載のバタフライバルブの作動軸連結装置。
【請求項７】
前記固定手段６は、
前記テフロンリング５の外側周縁端部に更に形成される外側傾斜段部面５１と、
前記外側傾斜段部面５１を外側から堅く押さえられるように形成された内側傾斜段部面６２１と、
該内側傾斜段部面６２１の外側周縁部に形成されてテフロンリング５の外側を押さえる突出段部６２２とが含まれたリングブラケット６２と、
前記リングブラケット６２及び／又はテフロンリング５を貫通して前記ディスクシート１２の後方に締結される複数個の締結ボルト６３と、
前記突出段部６２２に貫通締結されてテフロンリング５の内径を減らしてディスク２４の周縁端部の加圧状態を調整する加圧調整ボルト６４とからなることを特徴とする請求項５記載のバタフライバルブの作動軸連結装置。
【請求項８】
請求項１〜７のいずれかに記載のバタフライバルブの作動軸連結装置を有するバタフライバルブ。
【発明の詳細な説明】
【技術分野】
【０００１】
本発明は、バタフライバルブの作動軸連結装置に関し、より詳しくは、外軸が含まれた作動軸とディスクとの連結を容易にすることにより、組立効率を極大化しようとするバタフライバルブの作動軸連結装置に関する。
【背景技術】
【０００２】
一般に、バタフライバルブというのは、ディスクを介して流路を遮断するバルブを言うもので、流体はもちろん、高温の蒸気及びいろいろな化学物質などを断続することに広く使われる。
ここで、本発明は、本出願人が既出願したバタフライバルブを改良したもので、まず、本出願人が既出願したバタフライバルブを説明すると、次の通りである。
一実施の形態で、大韓民国実用新案登録第２９２４４０号の“ソリッドメタルシートバタフライバルブ”が公知とされている。
【０００３】
【特許文献１】大韓民国実用新案登録第２９２４４０号
【発明の開示】
【発明が解決しようとする課題】
【０００４】
従って、前記の一実施の形態のバルブは、ディスクシートと垂直空間部とが備えられた流路を含むボディーと、前記垂直空間部に備えられ、垂直内・外軸の下段に曲線偏心カム、曲線偏心カムガイド、曲線偏心カムカバー等（以下、  便宜上‘カム連結手段’という）により連結され、前記内軸と連結された曲線カム（以下、便宜上‘カム’という）の回転により閉鎖時に密閉位置へ移動するディスクを含む断続手段と、前記垂直内・外軸の上部に備えられ、前記断続手段を開閉させるハンドル軸、ウォームギア、ウォームホイール、ガイドカップ、ガイドフランジ、ガイドプレート等（以下、便宜上‘開閉手段’という）からなることを特徴とする。
即ち、前記開閉手段は、前記ハンドル軸のウォームギアを介して回転され、内軸と連動して回転できるように固定されたウォームホイールと外軸と連動して回転できるように備えられ、両端部は円形軸が備えられたガイドプレートと、ガイドプレートの上部であるウォームホイールの下部に備えられて、下部には単一の段部が形成されているガイドカップ及び前記ガイドプレートの下部に備えられており、上部には傾斜溝が形成されているガイドフランジを要部とする。
従って、前記開閉手段を介して内・外軸と共に、そして内軸のみを回転させることにより、ディスクの回転を通じて１次的に流路を閉鎖してから内軸のみを回転させて、ディスクをディスクシート側に密着移動させることにより、流路を完全に閉鎖する作動を遂行するものである。
【０００５】
そして、前記カム連結手段は、両側に分離されて前記外軸の下部を支持し、各々がディスクに固定される両側ガイドからなる曲線偏心カムガイドと、前記両側ガイドの後方の開放部を防ぐ曲線偏心カムカバーとからなる。
特に、前記両側ガイドの上・下部には、前記外軸に形成された溝部に挿入される挿入段部が形成されている。
従って、前記両側ガイドの間の空間に曲線カムが固定された内軸と外軸とを挿入してから、前記曲線偏心カムカバーを固定することにより、内・外軸とディスクとの連結を終えるものである。
しかし、上記のように構成されたカム連結手段を介して内・外軸とディスクとを連結する場合には、両側ガイドが相互分離されていることによって、ガイド間の幅の調整が非常に困難な問題があった。
即ち、前記外軸の下部に形成された溝部へ両側ガイドに形成された段部を緩い嵌合により連結しなければならないし、両側ガイドに形成された段部の間の形状公差を精密に維持しなければならないので、両側ガイドの組立に多くの時間がかかる問題があった。
【０００６】
また、両側ガイドがディスクに各々組立されることにより、組立時に内・外軸の中心を合わせることにおいて、多くの時間がかかる問題があった。
ここで、本発明は、本出願人が既出願したバルブの問題点が解消できるように改良したものであって、バルブの作動軸を構成する外軸を長孔が備えられた単一の外軸固定板を介してディスク連結体に固定することにより、外軸が含まれた作動軸とディスクとの連結を容易にすることができるバタフライバルブの組立軸連結装置を提供することを目的とする。
また、作動軸がカム連結手段に貫通された状態で、外軸固定板の両側に備えられたボルトを介して外軸固定板の位置を調整することによって、内・外軸からなる作動軸の中心を容易にセッティングすることができるようにすることを又別の目的とする。
【課題を解決するための手段】
【０００７】
前記のような目的の達成のための本発明は、ディスクシートと垂直空間部が備えられた流路とを含むボディーと、前記垂直空間部とに備えられ、垂直内・外軸からなる作動軸の下段に一つ以上のカム連結手段を介して連結され、前記内軸と連結された一つ以上のカムを介して閉鎖時に位置が変更されるディスクを含む断続手段と、前記垂直内・外軸の上部に備えられ、前記断続手段を開閉させる開閉手段とからなるバタフライバルブにおいて、前記カム連結手段は、前記外軸の下部の両側に対称的になる１つ以上形成されている両結合溝と、前記ディスクの前面に連結体の後面が密着するように熔接やボルト締結により固定されており、その内部には上・下及び内側が開放されて前記内軸の下部に固定されたカムが取付けられるカム取付部と前方が開放された一つ以上の凹溝部とが備えられていて、作動軸が挿入される連結体と、後方に前記両結合溝に挟まれる開放された長孔が形成されており、前記凹溝部の前方から後方へ挿入され、前記長孔の両端部が外軸の両結合溝に摺動可能に挟まれ、ブラケット固定手段を介してブラケットに固定される外軸固定板とからなることを特徴とするバタフライバルブの作動軸連結装置、及びそれを有するバタフライバルブに関する。
【発明の効果】
【０００８】
上述のように、単一品である外軸固定板と連結体を組立てることだけで、外軸が含まれた作動軸とディスクとの連結を容易に連結することができるようにすることにより、組立効率を向上させて生産性を極大化するバルブを提供する効果がある。
また、内・外軸からなる作動軸の中心を容易に調整することができるようにすることにより、バルブの初期組立及び使用中のメインテナンスが容易になる効果もある。
本発明は、添付の図面を参照して望ましい実施の形態を中心に記述したが、当業者ならばこのような記載から本発明の範囲から外れない範囲で多様に変形可能であることは明白である。従って、本発明の範疇はこのような多くの変形例を含むように本明細書に記載された請求の範囲を解釈しなければならない。
【発明を実施するための最良の形態】
【０００９】
以下、本発明を添付の図面を参照しながら詳細に説明すると次の通りである。
図１は、本発明のカム連結手段が取付けられたバルブを示す全断面図であり、  図２は、本発明に係る連結装置を拡大図示した斜視図であり、図３は、本発明に係る連結装置を示す分解斜視図である。
本発明に係る連結装置は、ディスクシート（ディスク受け部）１２と垂直空間部１３とが備えられた流路１１を含むボディー１と、前記垂直空間部１３に備えられ、垂直内・外軸２２、２３からなる作動軸２１の下段に一つ以上のカム連結手段３を介して連結され、前記内軸と連結された一つ以上のカム２２１を介して閉鎖時に位置が変更されるディスク２４を含む断続手段２と、前記垂直内・外軸２２、２３の上部に備えられ、前記断続手段２を開閉させる開閉手段４とからなるバタフライバルブにおいて、前記カム連結手段３は、前記外軸２３の下部の両側に、対称的に一つ以上形成されている両結合溝３１と、前記ディスク２４の前面にその後面が密着するように熔接やボルト締結により固定されており、内部には上・下及び内側が開放されて前記内軸２２の下部に固定されたカム２２１が取付けられるカム取付部３２１が備えられており、前記カム取付部３２１と前方が開放された一つ以上の凹溝部３２２とが備えられていて、作動軸２１が挿入される連結体３２と、後方に前記両結合溝３１に挟まれる開放された長孔３３１が形成されており、前記凹溝部３２２の前方から後方へ挿入され、前記長孔３３１の両端部３３２が外軸２３の両結合溝３１に摺動可能に挟まれ、ブラケット固定手段３３３を介してブラケットに固定される外軸固定板３３とからなるものである。
【００１０】
特に、前記ブラケット固定手段３３３は、前記外軸固定板３３の両側に複数個形成された貫通ホール３３４と、前記凹溝部３２２の両側に前記貫通ホール３３４と相応する位置に備えられたタップ孔３３５と、前記貫通ホール３３４に貫通され、前記タップ孔３３５に締結されるボルト３３６とからなる。
【００１１】
また、前記開閉手段４は、前記垂直内・外軸２２、２３が内部に突出するようにボディー１の上部に備えられたケーシング４１と、前記内軸２２の上部に固定され、ハンドル４２１のウォーム４２２を介して回転されるウォームホイール４２と、前記外軸２３の上部に連動回転され、かつ、昇降可能に備えられ、両突出ピン４３１を含む回転台４３と、前記ケーシング４１の下部周縁部に備えられ、前記回転台４３の両突出ピン４３１が回転可能に上げられ、両側には前記突出ピン４３１が挿入される凹溝４４１が備えられる突出レール４４と、前記ウォームホイール４２の下部両側に対称的になるように備えられて、前記突出レール４４の内部に挿入され、各々にはウォームホイール４２の回転を通じて前記両突出ピン４３１を回転させて、内・外軸２２、２３の連動回転を通じてディスク２４を開閉し、閉鎖時には前記カム２２１が固定された内軸２２のみを一定の角度で回転させてディスク２４をディスクシート１２の方に一定距離だけ移動するようにする作動突出台４５とからなるものである。
【００１２】
また、前記凹溝部３２２は、ディスク２４の直径方向に、上部や下部に備えられ、上・下部共に備えられるものである。
従って、上記のように構成されたバルブを閉鎖する場合は、図１に示すように、前記開閉手段４を介して内・外軸２２、２３を同時に回転させて、ディスクの回転を通じて１次的に流路を閉鎖してから内軸のみを回転させてディスクをディスクシートの方に密着移動させることにより、流路を完全に閉鎖する作動を遂行するものである。
また、本発明は、前記カム連結手段３を介して作動軸２１を構成する外軸２３をディスク２４に容易に固定することができるものであって、図１ないし図３を参照して、カム連結手段３の連結過程を説明すると、次の通りである。
先ず、カム連結手段３を構成する単一に構成された一つ以上の連結体３２をディスク２４の前面に熔接やボルト締結により固定する。
【００１３】
次に、前記連結体３２の内部に備えられたカム取付部３２１に作動軸２１を挿入してから連結体３２の上部または上・下部に形成された凹溝部３２２に後方が開放された長孔３３１が形成された外軸固定板３３を挿入することにより、作動軸２１とディスク２４との相互連結を終えるのである。
これをより具体的に説明すると、前記外軸固定板３３を凹溝部３２２に挿入する過程を通じて、前記凹溝部３２２の後方に形成された長孔３３１を前記外軸２３の下部に形成された両結合溝３１に挿入することにより、外軸固定板３３と外軸２３とを相互連結した後、外軸固定板３３をボルト３３６を介して連結体３２に組立ることにより、カム連結手段３を介した作動軸２１とディスク２４との連結を完了するのである。
【００１４】
従って、バルブの作動軸２１を構成する外軸２３を長孔３３１が備えられた単一の外軸固定板３３を介してディスク連結体３２に固定することにより、外軸２３が含まれた作動軸２１とディスク２４との連結を容易にすることができる。即ち、前記長孔３３１を一体構成することにより、組立過程において幅の調整が不要となるので、迅速に、かつ、正確に組立ることができる。
【００１５】
図４は、図２の  Ａ−Ａ線断面図であって、前記凹溝部３２２の両外軸の連結体３２には１対以上の水平タップ孔３２３が形成されており、前記タップ孔３２３には外軸固定板３３の中心位置を精密に調整することができるボルト３２４が締結されることを特徴とする。
従って、作動軸２１がカム連結手段３に貫通された状態で、外軸固定板の両側に備えられたボルト３２４の締結状態を調整することにより、内・外軸２２、２３からなる作動軸２１の中心を容易にセッティングすることができる。
従って、装置の設置後や使用中に、作動軸２１の位置が変更される故障が生じる場合にもこれを迅速に補修することができる。
【００１６】
図５は、図１のＢ部拡大図であって、前記ディスクシート１２の後方周縁部には更にディスク２４の周縁端部面２４１が密着されるテフロンリング５が固定手段６を介して固定されているのである。そして、前記固定手段６は、テフロンリング５の外軸面を押さえる円形押えリング６１と、前記円形押えリング６１とテフロンリング５を貫通して前記ディスクシートの後方に締結される複数個のボルト６１１とからなる。
従って、前記ディスクシート１２の後方にテフロンリング５を円形押えリング６１を介して堅く固定することにより、前記テフロンリング５の内側面とディスク２４の外側面との間が完全に密着されることにより、流体の密閉効果を向上させることができる。
【００１７】
図６は、本発明に係るテフロンリング固定手段の他の実施の形態を示すものであって、前記ディスクシートの後方周縁部には、更にディスク２４の周縁端部面２４１が密着されるテフロンリング５が固定手段６を介して固定されている。
ここで、前記他の実施の形態の固定手段６は、前記テフロンリング５の外側周縁端部に更に形成される外側傾斜段部面５１と、前記傾斜段部面６２２を外側から堅く押さえるように形成された内側傾斜段部面６２１と、該内側傾斜段部面６２１の外側周縁部に形成されてテフロンリング５の外側を押える突出段部６２２が含まれたリングブラケット６２と、前記リングブラケット６２及び／又はテフロンリング５を貫通して前記ディスクシート１２の後方に締結される複数個の締結ボルト６３と、前記突出段部６２２に貫通締結され、テフロンリング５の内側の直径を減らしてディスク２４の周縁端部の加圧状態を調整する加圧調整ボルト６４とからなる。
【００１８】
前記ディスクシート１２の後方にテフロンリング５を円形押えリング６１を介して堅く固定することにより、前記テフロンリング５の内側面とディスク２４の外側面との間が完全に密着されることにより、流体の密閉効果を向上させることができることはもちろん、前記加圧調整ボルト６４を介してテフロンリング５の内径を調整することができるので、前記テフロンリング５が摩耗される場合には、前記加圧調整ボルト６４を調整することにより、バルブの密閉効果が低下されることを予防することができる。
【図面の簡単な説明】
【００１９】
【図１】図１は、本発明のカム連結手段が取付けられたバルブを示す全断面図である。
【図２】図２は、本発明に係る連結装置を拡大図示した斜視図である。
【図３】図３は、本発明に係る連結装置を示す分解斜視図である。
【図４】図４は、図２のＡ−Ａ線断面図である。
【図５】図５は、図１のＢ部拡大図である。
【図６】図６は、本発明に係るテフロンリング固定手段の他の実施の形態を示す要部断面図である。
【符号の説明】
【００２０】
１      ボディー
１１    流路
１２    ディスクシート
１３    垂直空間部
２      断続手段
２１    作動軸
２２    内軸
２２１  カム
２３    外軸
２４    ディスク
２４１  周縁端部面
３      カム連結手段
３１    結合溝
３２    連結体
３２１  カム取付部
３２２  凹溝部
３２３  タップ孔
３２４  ボルト
３３    外軸固定板
３３１  長孔
３３２  端部
３３３  ブラケット固定手段
３３４  貫通ホール
３３５  タップ孔
３３６  ボルト
４      開閉手段
４１    ケーシング
４２    ウォームホイール
４３    回転台
４４    突出レール
４５    作動突出台
５      テフロンリング
５１    外側傾斜段部面
６      固定手段
６１    円形押えリング
６１１  ボルト
６２    リングブラケット
６２１  内側傾斜段部面
６２２  突出段部
６３    締結ボルト
６４    加圧調整ボルト
【図１】
2006038206.tif 000003
【図２】
2006038206.tif 000004
【図３】
2006038206.tif 000005
【図４】
2006038206.tif 000006
【図５】
2006038206.tif 000007
【図６】
2006038206.tif 000008
【手続補正書】
【提出日】平成16年10月19日(2004.10.19)
【手続補正１】
【補正対象書類名】図面
【補正対象項目名】全図
【補正方法】変更
【補正の内容】
【図１】
2006038206.tif 000009
【図２】
2006038206.tif 000010
【図３】
2006038206.tif 000011
【図４】
2006038206.tif 000012
【図５】
2006038206.tif 000013
【図６】
2006038206.tif 000014